(57)【要約】【課題】電装箱のメンテナンスが容易な室内機を提供する。【解決手段】筐体２内に熱交換器３を有し、熱交換器３の上方に送風機７を備え、送風機７の上方に吹き出しグリル２０が配置された上吹き式の室内機１において、送風機７の支持部５と横並びに電装箱９を備え、電装箱９の上部に吹き出しグリル２０が張り出し、電装箱９が上下方向に移動自在に支持されている。【選択図】図２
2020134031.tif 000002
【特許請求の範囲】
【請求項１】
筐体内に熱交換器を有し、前記熱交換器の上方に送風機を備え、前記送風機の上方に吹き出しグリルが配置された上吹き式の空気調和装置において、
前記送風機の支持部と横並びに電装箱を備え、
前記電装箱の上部に前記吹き出しグリルが張り出し、
前記電装箱が上下方向に移動自在に支持されている、
ことを特徴とする室内機。
【請求項２】
前記電装箱が前記筐体内の上隅部に配置されていることを特徴とする請求項１に記載の室内機。
【請求項３】
前記電装箱の下方には前記電装箱の移動を許容する空間部が設けられ、
前記空間部の下方には電動膨張弁が配置されていることを特徴とする請求項１又は２に記載の室内機。
【請求項４】
前記筐体には前記電装箱を取り付ける台座が設けられ、
前記電装箱には前記台座との干渉を避ける切り欠きが設けられていることを特徴とする請求項１から３の何れか一項に記載の室内機。
【発明の詳細な説明】
【技術分野】
【０００１】
本発明は、室内機に関する。
【背景技術】
【０００２】
従来、床置き式の室内機を備えた空気調和装置が知られている（例えば、特許文献１参照）。
この種の空気調和装置では、一台の室外機に対し一台の室内機を接続するものがある。室内機の筐体の内部には熱交換器、送風機、電装箱等を配置している。
ところで、空気調和装置は一台の室外機に対し複数台の室内機を互いに並列にマルチに接続する場合がある。この場合、各室内機の筐体の内部に従来室外機に設けられていた部材を配置することがある。この場合、この部材を制御する電子部品等が必要となる。
【先行技術文献】
【特許文献】
【０００３】
【特許文献１】特開２０１８−１５９４９８号公報
【発明の概要】
【発明が解決しようとする課題】
【０００４】
しかしながら、この場合、電装箱が大きくなり、従来の室内機の筐体内レイアウトでは、電装箱のメンテナンスが困難になるため、未だ改善の余地があった。
そこで、本発明は、上述した従来の技術が有する課題を解消し、電装箱のメンテナンスが容易な室内機を提供することを目的とする。
【課題を解決するための手段】
【０００５】
本発明は、筐体内に熱交換器を有し、前記熱交換器の上方に送風機を備え、前記送風機の上方に吹き出しグリルが配置された上吹き式の室内機において、前記送風機の支持部と横並びに電装箱を備え、前記電装箱の上部に前記吹き出しグリルが張り出し、前記電装箱が上下方向に移動自在に支持されている、ことを特徴とする。
【発明の効果】
【０００６】
本発明によれば、電装箱の上部に吹き出しグリルが張り出し、電装箱の上部と吹き出しグリルが干渉する構造であっても、電装箱が上下方向に移動自在であるため、電装箱を下にずらす作業により、電装箱が露出し、電装箱のメンテナンスが容易となる。
【図面の簡単な説明】
【０００７】
【図１】本発明の一実施形態を示す室内機の斜視図
【図２】室内機の分解斜視図
【図３】フィルターユニットを外した状態の正面図
【図４】図３のＩＶ−ＩＶ断面図
【図５】電装箱の取り付け状態を示す斜視図
【図６】電装箱の取り付け状態を示す断面図
【発明を実施するための形態】
【０００８】
第１の発明は、筐体内に熱交換器を有し、前記熱交換器の上方に送風機を備え、前記送風機の上方に吹き出しグリルが配置された上吹き式の室内機において、前記送風機の支持部と横並びに電装箱を備え、前記電装箱の上部に前記吹き出しグリルが張り出し、前記電装箱が上下方向に移動自在に支持されている、ことを特徴とする。
この発明によれば、電装箱が上下方向に移動自在であるため、電装箱を下にずらす作業により、電装箱が露出し、電装箱のメンテナンスが容易となる。
【０００９】
第２の発明は、第１の発明において、前記電装箱が前記筐体内の上隅部に配置されていることを特徴とする。
この発明によれば、電装箱が筐体内の上隅部に配置されているため、電装箱と熱交換器や冷媒配管との間の距離が大きくとれるため、運転時における熱交換器や冷媒配管からの輻射熱が電装箱に伝わり難くなる。
【００１０】
第３の発明は、第１又は第２の発明において、前記電装箱の下方には前記電装箱の移動を許容する空間部が設けられ、前記空間部の下方には電動膨張弁が配置されていることを特徴とする。
室内機と室外機が１対１対応の空気調和装置等、電動膨張弁を室外機に配置するものがある。例えば１台の室外機について複数台の室内機を備える空気調和装置の場合等、電動膨張弁を室内機に配置することが効果的な場合がある。電動膨張弁は、冷房運転時等に冷え、結露する。
この発明によれば、室内機に電動膨張弁を配置したとしても、電装箱の下方に空間部を設け、電装箱の下方への移動を許容した上で、空間部のさらに下方に電動膨張弁を配置したため、電装箱を移動可能として電装箱のメンテナンスを容易にしつつ、電動膨張弁の結露による影響を電装箱に与えることを抑制できる。
【００１１】
第４の発明は、第１の発明から第３発明の何れかの発明において、前記筐体には前記電装箱を取り付ける台座が設けられ、前記電装箱には前記台座との干渉を避ける切り欠きが設けられていることを特徴とする。
この発明によれば、電装箱を移動させるとき、電装箱と台座との干渉を避けることができ、移動が容易である。
【００１２】
以下に、添付図面を参照して本発明の一実施形態を詳細に説明する。
図１は、本実施形態による床置き式の室内機１の斜視図、図２は室内機１の分解斜視図である。なお、以下の説明において、上下、前後、左右とは、室内機１を正面から見た場合の上下、前後、左右を示している。
【００１３】
室内機１は、図１に示すように、筐体２を備えている。筐体２の前面はフィルターユニット１１で覆われ、フィルターユニット１１の前面は前面パネル１４で覆われている。前面パネル１４の上部には吹き出しグリル２０が設けられている。
筐体２の前面には、図２に示すように、熱交換器３が取り付けられている。熱交換器３はフィンアンドチューブ型の熱交換器であり、冷媒配管４が下方へ延出している。熱交換器３の下方にはドレンパン６が配置され、ドレンパン６にはドレンホース６ａが接続されている。熱交換器３の上方には一対の支持部５が設けられ、これら支持部５の間には送風機７が回転自在に支持されている。
筐体２には、送風機７の支持部５と横並びに電装箱９が配置されている。電装箱９は筐体２の上隅部２ａに配置されている。電装箱９は、筐体２の内部の右上部に配置される。電装箱９の前面には端子台１０が設けられている。
【００１４】
熱交換器３の前面は、フィルターユニット１１で覆われている。フィルターユニット１１は複数枚のフィルター１２を備える。
フィルターユニット１１には電装箱９の端子台１０に対応した位置に開口１１ａが設けられ、開口１１ａには端子台カバー１３が設けられている。フィルターユニット１１は前面パネル１４により覆われている。
【００１５】
本実施形態では、筐体２の送風機７の上方に吹き出しパネル１５が配置される。吹き出しパネル１５は、図３に示すように、筐体２の横方向全体にわたって延びている。吹き出しパネル１５は、筐体２の天面を構成する。吹き出しパネル１５は、図４に示すように、外板１６と内板１７とを備えている。外板１６と内板１７の間には風路１９が形成されている。
風路１９の奥端１９ａは送風機７の吹き出し口に連通し、風路１９の前端１９ｂは、開閉する吹き出しグリル２０に連通している。
吹き出しグリル２０は、前面部が下方に垂下し、垂下部２０ａは、正面視において、電装箱９の上部９ａと重なっている。正面視では、上部９ａと吹き出しグリル２０とが重なって干渉し、上部９ａは見えていない。
【００１６】
図５は、電装箱９の取り付け状態を示す斜視図である。図６は、電装箱９の取り付け状態を示す断面図である。
電装箱９は、図５に示すように、端子台１０を備えており、端子台１０の上方及び下方には第１の蓋体２１、第２の蓋体２２が設けられている。
電装箱９は、送風機７の支持部５と横並びになって筐体２の上隅部２ａに取り付けられている。送風機７は取り付け位置７０に取り付けられている。
電装箱９の下端には突片２３が一体に形成されている。
筐体２には台座２４が形成されている。突片２３には孔２５が設けられている。孔２５には、ねじ２６が嵌められる。ねじ２６は、台座２４のめねじ孔にねじ込まれ、ねじ２６（固定具）により電装箱９が台座２４に取り付けられている。
【００１７】
図６に示すように、電装箱９の裏面の下端部には、長さＬの切り欠き２７が形成されている。切り欠き２７の下端に爪部２８が形成されている。爪部２８はリブ２９の上に載せられる。爪部２８をリブ２９の上に載せた状態で、ねじ２６により電装箱９を台座２４に固定するため、電装箱９の固定状態が安定する。
【００１８】
電装箱９の下方には、図４に示すように、電装箱９の移動を許容するために、空間部Ｓが設けられている。空間部Ｓの下方には、電動膨張弁３１や、ゴミ取りフィルター、防音用のマフラー等が配置されている。
ここで、電動膨張弁３１は、冷媒流量の制御弁であって、一台の室外機（不図示）に室内機１を複数台接続したときに必要となり、この電動膨張弁３１によって、各室内機１の冷媒流量が制御される。
電装箱９には、電子部品が実装された一枚の基板が収容される。電装箱９に備えられる端子台１０には、電動膨張弁３１を制御する部品が含まれている。その分、端子台１０は大型化しており、図５に示すように、電装箱９の幅Ｗを超えて、室内機１の内側に延びて配置されている。
【００１９】
次に、電装箱９について説明する。
本実施形態の電装箱９は、上下方向に移動させることが可能である。
図６において、まず、ねじ２６を外す。そして、矢印Ａの方向（室内機１の内側の方向）に、爪部２８がリブ２９の高さを越えるまで電装箱９を引く。
爪部２８がリブ２９の高さを越えたら、矢印Ｂの方向（室外機１の下方向）に電装箱９を少しずらす。そして、爪部２８がリブ２９の下方に位置したら、矢印Ａと逆の方向に電装箱９を押し戻して、その位置から、切り欠き２７の段差部２７ａが、リブ２９に当たって止まるまで、電装箱９を下方に引き下ろす。
空間部Ｓの高さは、切り欠き２７の長さＬよりも高く設定されている。そして、切り欠き２７の長さＬは、図４に示す吹き出しグリル２０の垂下部２０ａの長さＬ１とほぼ等しく設定されている。したがって、電装箱９が下方に引き下ろされたとき、電装箱９の上部９ａが垂下部２０ａに隠れず、正面視において露出する。
【００２０】
なお、端子台１０に接続した配線の長さは、電装箱９を引き下ろしたときに、余裕があるように長めに設定されている。
【００２１】
次に、作用について説明する。
本形態による室内機１は、送風機７の電動機（不図示）が駆動されると、前面パネル１４の下方及び両側縁の開口から空気が吸引される。
空気は、フィルターユニット１１のフィルター１２を通り、熱交換器３に至り、熱交換されて送風機７の吐出側に至る。そして、吹き出しパネル１５内の風路１９を経て、吹き出しグリル２０から室内に吹き出される。
【００２２】
電装箱９はメンテナンス時に、基板やコネクタ等を抜き差しする必要がある。
本実施形態では、電装箱９が上下方向に移動自在に支持されているため、端子台１０が電装箱９の前面（室内機１の正面方向）に備えられていても、吹き出しグリル２０を取り外すことなく、ねじ２６を外して、電装箱９を下にずらす作業だけで、電装箱９を露出させることができ、容易にメンテナンスできる。
このとき、端子台１０は電装箱９の前面に位置するため、作業者は前面から端子台１０にアクセスでき、メンテナンスが容易である。
【００２３】
以上説明したように、本実施の形態によれば、筐体２内に熱交換器３を有し、熱交換器３の上方に送風機７を備え、送風機７の上方に吹き出しグリル２０が配置された上吹き式の室内機１において、送風機７の支持部５と横並びに電装箱９を備え、電装箱９の上部に吹き出しグリル２０が張り出し、電装箱９が上下方向に移動自在に支持した。
これにより、電装箱９が上下方向に移動自在であるため、電装箱９を下にずらす作業により、電装箱９が露出し、電装箱９のメンテナンスが容易となる。
【００２４】
また、本実施の形態によれば、電装箱９を筐体２の図中右上隅部２ａに取り付けたことで、熱交換器３から離れて電装箱９が取り付けられており、電装箱９と熱交換器３や冷媒配管４との間の距離が大きくとれるため、運転時における熱交換器３や冷媒配管４からの輻射熱が電装箱９に伝わり難くなる。
【００２５】
また、本実施の形態によれば、電装箱９の下方には電装箱９の移動を許容する空間部Ｓが設けられ、空間部Ｓの下方には電動膨張弁３１が配置される。
室内機１と室外機（不図示）が１対１対応の空気調和装置等では、電動膨張弁３１を室外機に配置するものがある。しかし、本実施形態では、１台の室外機について複数台の室内機１を備える空気調和装置であり、電動膨張弁３１を室内機に配置している。電動膨張弁３１は、冷房運転時等に冷え、結露する。
本実施形態の上記構成によれば、室内機１に電動膨張弁３１を配置したとしても、電装箱９の下方に空間部Ｓを設け、電装箱９の下方への移動を許容した上で、空間部Ｓのさらに下方に電動膨張弁３１を配置したため、電装箱９を移動可能として電装箱９のメンテナンスを容易にしつつ、電動膨張弁３１の結露による影響を電装箱９に与えることを抑制できる。
【００２６】
また、本実施の形態によれば、筐体２には電装箱９を取り付ける台座２４が設けられ、電装箱９には台座２４との干渉を避ける切り欠き２７を設けた。
これによれば、電装箱９を移動させるとき、電装箱９と台座２４との干渉を避けることができ、移動が容易となる。
【００２７】
本実施形態では、電装箱９の下方に電装箱９の移動を許容する空間部Ｓが設けられ、この空間部Ｓの下方には、電動膨張弁３１や、ゴミ取りフィルター、防音用のマフラー等が纏まりよく配置されている。
熱交換器３や電動膨張弁３１は、冷房運転中に冷える。
しかしながら、運転中は、電装箱９が筐体２の図中右上隅部２ａに位置し、この位置は熱交換器３や電動膨張弁３１から離れた位置であるため、冷えた輻射熱の影響が少なくなり、電装箱９内の電子部品が保護される。
また、空間部Ｓのさらに下方に電動膨張弁３１を配置したため、電動膨張弁３１を纏まりよく効率よく配置できる。
【００２８】
本実施形態では、電装箱９を取り付ける台座２４が筐体２に設けられるが、電装箱９には切り欠き２７が設けられるため、ねじ２６を外して、電装箱９を下方に移動させるときには、切り欠き２７内に台座２４が位置し、したがって、電装箱９と台座２４との干渉が避けられ、電装箱９の下方への移動が容易になる。
【００２９】
本実施の形態に係る空気調和装置は、一台の室外機（不図示）に対し複数台の室内機１を並列にマルチに接続している。そのため、室内機１の筐体２の内部に、従来室外機に設けられていた電動膨張弁３１を配置している。この場合、電動膨張弁３１のメンテナンスのためには、所定の空間が必要となる。そこで、筐体２の内部の上隅部に電装箱９を配置し、電動膨張弁３１のメンテナンスを容易とするため電装箱９と電動膨張弁３１との間に空間部Ｓを備え、この空間部Ｓの下方に電動膨張弁３１を配置した。空間部Ｓは、電動膨張弁３１のメンテナンスが容易となる程度の空間を備えていればよい。
空間部Ｓを設けることにより、電装箱９は筐体２の内部の上隅部に配置され、電装箱９の上部と吹き出しグリル２０とが正面視において重なる位置に配置されることとなるが、上述のように、電装箱９は筐体２の内部を上下方向に移動自在に支持されているため、電装箱９を筐体２の内部の上隅部に配置した場合には、空間部Ｓを利用することにより電動膨張弁３１のメンテナンスを容易とでき、電装箱９を下方に移動させ空間部Ｓの位置に配置した場合には、吹き出しグリル２０を取り外すことなく電装箱９及び端子台１０のメンテナンスを行うことができる。
このように、正面視において電装箱９と吹き出しグリル２０とを重なる位置に配置し、電装箱９を上下方向に移動自在に支持し、電装箱９の下方に空間部Ｓを設け、空間部Ｓの下方に電動膨張弁３１を配置することにより、電動膨張弁３１のメンテナンスや検査を容易とするとともに、空間部Ｓを有効利用することにより筐体２の大型化を抑制できる。
【００３０】
以上、本実施の形態に基づいて本発明を説明したが、本発明はこれらの実施形態に限定されるものではない。あくまでも本発明の実施の態様を例示するものであるから、本発明の趣旨を逸脱しない範囲で任意に変更、及び応用が可能である。
例えば、電装箱９を上下方向に移動させる際に、電装箱９の両側に当たって縦に延びるガイドレールを設けることも可能である。
【符号の説明】
【００３１】
１  室内機
２  筐体
２ａ  上隅部
３  熱交換器
５  支持部
７  送風機
９  電装箱
９ａ  上部
１０  端子台
１１  フィルターユニット
１５  吹き出しパネル
１９  風路
２０  吹き出しグリル
２４  台座
２６  ねじ
２７  切り欠き
３１  電動膨張弁
Ｌ  切り欠きの長さ
Ｌ１  グリルの垂下部の長さ
Ｓ  空間部
【図１】
2020134031.tif 000003
【図２】
2020134031.tif 000004
【図３】
2020134031.tif 000005
【図４】
2020134031.tif 000006
【図５】
2020134031.tif 000007
【図６】
2020134031.tif 000008